(57)【要約】【課題】発光素子からの画像形成に必要な発光光量を確保しつつ、発光素子の劣化を抑制することが可能なプリントヘッドを提供することである。【解決手段】実施形態のプリントヘッドは、透明基板と、ドライブ回路と、第１の発光素子と、第２の発光素子と、レンズとを備える。前記ドライブ回路は、電流を供給する。前記第１の発光素子は、前記透明基板上の素子であって、前記電流の供給により所定波長の第１の光を出力する。前記第２の発光素子は、前記透明基板上の素子であって、前記電流の供給により前記所定波長の第２の光を出力する。前記レンズは、前記第１の光と前記第２の光が重ねられた第３の光を集光する。【選択図】図６
2018043431.tif 000002
【特許請求の範囲】
【請求項１】
透明基板と、
電流を供給するドライブ回路と、
前記透明基板上の素子であって、前記電流の供給により所定波長の第１の光を出力する第１の発光素子と、
前記透明基板上の素子であって、前記電流の供給により前記所定波長の第２の光を出力する第２の発光素子と、
前記第１の光と前記第２の光が重ねられた第３の光を集光するレンズと、
を備えるプリントヘッド。
【請求項２】
前記第１の発光素子上に前記第２の発光素子が形成され、
前記第１の発光素子は前記第１の光を所定方向に出力し、
前記第２の発光素子は前記第２の光を前記所定方向に出力する請求項１のプリントヘッド。
【請求項３】
前記第１の発光素子と前記第２の発光素子は、前記ドライブ回路に直列に接続される請求項１記載のプリントヘッド。
【請求項４】
前記第１の発光素子と前記第２の発光素子は、前記ドライブ回路に並列に接続される請求項１記載のプリントヘッド。
【請求項５】
透明基板と、
第１の所定レベルの電流を供給する第１のドライブ回路と、
第２の所定レベルの電流を供給する第２のドライブ回路と、
前記透明基板上の素子であって、前記第１のドライブ回路からの前記電流の供給により所定波長の第１の光を出力する第１の発光素子と、
前記透明基板上の素子であって、前記第２のドライブ回路からの前記電流の供給により前記所定波長の第２の光を出力する第２の発光素子と、
前記第１の光と前記第２の光が重ねられた第３の光を集光するレンズと、
を備えるプリントヘッド。
【請求項６】
前記第１及び第２の発光素子は有機ＥＬである請求項１乃至５の何れか１項のプリントヘッド。
【請求項７】
請求項１乃至６の何れか１項に記載のプリントヘッドと、
感光体と、
前記感光体を帯電する帯電器と、
前記感光体上の潜像を現像する現像器と、
を備え、
前記プリントヘッドは、前記第３の光を前記感光体に照射し、前記帯電器により帯電された前記感光体を露光し、前記感光体上に前記潜像を形成する画像形成装置。
【請求項８】
透明基板と、
電流を供給するドライブ回路と、
前記透明基板上の素子であって、前記電流の供給により所定波長の第１の光を出力する第１の発光素子と、
前記透明基板上の素子であって、前記第１の光に向けて、前記電流の供給により前記所定波長の第２の光を出力する第２の発光素子と、
を備える発光装置。
【発明の詳細な説明】
【技術分野】
【０００１】
本発明の実施形態は、プリントヘッド、画像形成装置、および発光装置に関する。
【背景技術】
【０００２】
電子写真プロセスを用いたプリンタ、複写機、及び複合機（ＭＦＰ：Multi-Functional Peripheral）が知られている。これら機器の露光手段（露光ユニット）としては、レーザ光学系（ＬＳＵ：レーザスキャンユニット）及びプリントヘッド（固体ヘッド）と呼ばれる２方式が知られている。レーザ光学系では、ポリゴンミラーによって走査するレーザ光線により感光体ドラムが露光される。プリントヘッドでは、ＬＥＤ（Light Emitting Diode）などの複数の発光素子が出力する光によって感光体ドラムが露光される。
【０００３】
レーザ光学系は、ポリゴンミラーを高速で回転させる必要があるため、画像を形成する際に多くのエネルギーを消費するとともに動作音が聞こえる。またレーザ光を走査する機構が必要なため、大きなユニット形状になる傾向がある。
【０００４】
一方のプリントヘッドは、小型の露光ユニットにより構成できる。小型の露光ユニットは、発光素子から出る光をロッドレンズアレイと呼ばれる正立像を結ぶレンズを用いることで実現される。また、可動部が無いため、静かな露光ユニットである。
【０００５】
プリントヘッドには、ＬＥＤを用いたもの以外に有機ＥＬ（Electroluminescence）を用いたものも開発されている。有機ＥＬは、マスクを用いて基板上に有機ＥＬを一括形で形成することが可能で、ＬＥＤを並べるよりも精度よく発光素子を並べることができる。従って、発光素子として有機ＥＬを用いると、高精度の画像形成が可能であるというメリットがある。
【０００６】
例えば、ガラス基板上に有機ＥＬからなる複数の発光素子を形成した例が知られている。上記構造で画像形成に必要な発光光量を確保するだけの電流を流すと、劣化が進み、累計発光時間とともに発光光量が低下する。発光光量が低下すると、適正な画像濃度が得られない。
【先行技術文献】
【特許文献】
【０００７】
【特許文献１】特開２００７−２８３５９９号公報
【発明の概要】
【発明が解決しようとする課題】
【０００８】
本発明の目的は、発光素子からの画像形成に必要な発光光量を確保しつつ、発光素子の劣化を抑制することが可能なプリントヘッド、画像形成装置、および発光装置を提供することにある。
【課題を解決するための手段】
【０００９】
実施形態のプリントヘッドは、透明基板と、ドライブ回路と、第１の発光素子と、第２の発光素子と、レンズとを備える。前記ドライブ回路は、電流を供給する。前記第１の発光素子は、前記透明基板上の素子であって、前記電流の供給により所定波長の第１の光を出力する。前記第２の発光素子は、前記透明基板上の素子であって、前記電流の供給により前記所定波長の第２の光を出力する。前記レンズは、前記第１の光と前記第２の光が重ねられた第３の光を集光する。
【図面の簡単な説明】
【００１０】
【図１】感光体ドラムとプリントヘッドの位置関係の一例を示す図である。
【図２】プリントヘッドを構成する透明基板の一例を示す図である。
【図３】１組の発光素子（発光素子群）の第１例を示す図である。
【図４】１組の発光素子（発光素子群）の第２例を示す図である。
【図５】発光素子を駆動するためのＤＲＶ回路の一例を示す図である。
【図６】直列に接続された第１及び第２の発光素子を含むプリントヘッド回路ブロックの第１例を示す図である。
【図７】並列に接続された第１の発光素子及び第２の発光素子を含み、第１の発光素子及び第２の発光素子を含む１つ発光素子群に１つのＤＲＶ回路を対応付けたヘッド回路ブロックＢ２の一例を示す図である。
【図８】並列に接続された第１の発光素子及び第２の発光素子を含み、第１の発光素子及び第２の発光素子のそれぞれにＤＲＶ回路を対応付けたヘッド回路ブロックの一例を示す図である。
【図９】本実施形態のプリントヘッドを適用した画像形成装置の一例を示す図である。
【発明を実施するための形態】
【００１１】
以下、実施形態について図面を参照して説明する。
【００１２】
図１は、電子写真プロセスに用いられる感光体ドラムとプリントヘッドの位置関係の一例を示す図である。例えば、プリンタ、複写機、又は複合機等の画像形成装置は、図１に示す感光体ドラム１１１を備え、プリントヘッド１は感光体ドラム１１１に対向するよう配置される。
【００１３】
図１に示すように、プリントヘッド１は、透明基板１１、及びロッドレンズアレイ１２を備える。例えば、透明基板１１は、ガラス基板である。透明基板１１上の発光素子列１３を形成する複数の発光素子からの光は、ロッドレンズアレイ１２を通過し感光体ドラム１１１上に焦点を結ぶ。なお、発光素子列１３は、複数の発光素子群１３０により構成され、発光素子群１３０は複数の発光素子により構成される。例えば、発光素子群１３０は、多重化された発光素子、例えば第１の発光素子１３１及び第２の発光素子１３２により構成される。発光素子の多重化構造については後に詳しく説明する。
【００１４】
感光体ドラム１１１は、帯電器によって一様に帯電し、発光素子群１３０からの光によって露光されることで、その電位が下がる。つまり、発光素子群１３０の発光及び非発光を制御することで、感光体ドラム１１１上に静電潜像を形成することができる。
【００１５】
図２は、プリントヘッドを構成する透明基板の一例を示す図である。
【００１６】
図２に示すように、透明基板１１上の中央部には発光素子列１３が、透明基板１１の長手方向に沿って形成されている。発光素子列１３の近傍には、各発光素子（多重化された第１の発光素子１３１及び第２の発光素子１３２）を駆動する（発光させる）ためのＤＲＶ回路列１４が形成されている。
【００１７】
図２では、発光素子列１３を中心とした両脇にＤＲＶ回路列１４を配置した例を示したが、ＤＲＶ回路列１４を片側に配列するようにしても良い。
【００１８】
また、透明基板１１は、ＩＣ（Integrated Circuit）１５を備える。ＩＣ１５は、Ｄ／Ａ（digital to analog）変換回路１５０、セレクタ１５３、及びアドレスカウンタ１５４などを備える。Ｄ／Ａ変換回路１５０、セレクタ１５３、及びアドレスカウンタ１５４は、各発光素子の発光強度やon/offをコントロールする信号をＤＲＶ回路１４０に供給する。また、透明基板１１は、コネクタ１６を備える。コネクタ１６は、プリントヘッド１とプリンタ、複写機、又は複合機とを電気的に接続する。
【００１９】
例えば、透明基板１１には、各発光素子、ＤＲＶ回路１４０などが外気に触れないよう封止するための基板が取り付けられている。
【００２０】
図３は、１組の発光素子（発光素子群）の第１例を示す図である。
【００２１】
発光素子群１３０は、積層された第１の発光素子１３１及び第２の発光素子１３２を備える。また、これら第１の発光素子１３１及び第２の発光素子１３２は、直列に接続される。なお、図３では、封止のための基板は省略している。
【００２２】
透明基板１１上に複数の発光素子群１３０が形成される。例えば、１つの発光素子群１３０は、第１の発光素子１３１及び第２の発光素子１３２を備える。第１の発光素子１３１及び第２の発光素子１３２は、絶縁層１３３ｂにより絶縁された電極（＋）１３３ａと電極（−）１３３ｃに接して挟まれる。また、第１の発光素子１３１及び第２の発光素子１３２の間に電極１３３ｄが挟まれる構成である。
【００２３】
第１の発光素子１３１は、透明基板１１上の電極（＋）１３３ａと電極１３３ｄに接して挟まれる構成である。第１の発光素子１３１は、第１の正孔輸送層１３１ａ、第１の発光層１３１ｂ、及び第１の電子輸送層１３１ｃを備える。例えば、第１の発光層１３１ｂは、有機ＥＬである。
【００２４】
第２の発光素子１３２は、電極１３３ｄと電極（−）１３３ｃに接して挟まれる構成である。第２の発光素子１３２は、第２の正孔輸送層１３２ａ、第２の発光層１３２ｂ、及び第２の電子輸送層１３２ｃを備える。例えば、第２の発光層１３２ｂは、有機ＥＬである。
【００２５】
第１の発光素子１３１が出力する第１の光の波長（所定波長）と第２の発光素子１３２が出力する第２の光の波長（所定波長）は実質同一である（第１の光と第２の光のピーク強度は実質同一である）。第１の発光素子１３１と第２の発光素子１３２の個体差による波長誤差の範囲に含まれるものを実質同一とする。言い換えれば、第１の光と第２の光は実質同色（例えば赤色）であり、プリントヘッド１は、同色を重ねて画像形成に必要な光量を確保するものである。なお、第１の発光素子１３１及び第２の発光素子１３２は、実質同一の波長の光を出力するために、同じ材料で構成されている。
【００２６】
第２の発光層１３２ｂにおける透明基板１１と反対側は、第２の発光層１３２ｂで発光した第２の光を反射する構造になっている。例えば、第２の電子輸送層１３２ｃは、第２の発光層１３２ｂからの第２の光を反射するための構造（反射特性）を有する。或いは、電極（−）１３３ｃは、第２の発光層１３２ｂからの第２の光を反射するための構造（反射特性）を有する。
【００２７】
第２の正孔輸送層１３２ａ、電極１３３ｄ、第１の電子輸送層１３１ｃ、第１の正孔輸送層１３１ａは、第１の発光層１３１ｂが発光する第１の光、及び第２の発光層１３２ｂが発光する第２の光に対して透過性を有する。このような構造とすることで、第１の光と第２の光が、透明基板１１へ向かって出力される。言い換えれば、第２の光は第１の光に向けて出力され、第１の光と第２の光が重ねられた第３の光が、透明基板１１へ向かって出力される。
【００２８】
このように第１の発光素子１３１及び第２の発光素子１３２は、実質同一の波長の第１の光及び第２の光を発光する。透明基板１１の反対側の第２の電子輸送層１３２ｃ又は電極（−）１３３ｃは、第１の発光素子１３１及び第２の発光素子１３２が発光する第１の光及び第２の光を反射させる構造を有する。これにより、第１の光及び第２の光を一方方向に重ね合わせて第３の光として出力することができる。１つの発光素子からの光を出力するケースに比べて、この第３の光を利用することにより、多くの光量を得ることができる。
【００２９】
図３に示す第１の発光素子１３１及び第２の発光素子１３２は、直列に接続される構造である。このような構造では、電極（＋）１３３ａと電極（−）１３３ｃに順方向に電流を流すことで、第１の発光素子１３１及び第２の発光素子１３２を発光させることができる。第１の発光素子１３１及び第２の発光素子１３２には、実質同一の電流が流れる。
【００３０】
図４は、１組の発光素子（発光素子群）の第２例を示す図である。発光素子群１３０は、積層された第１の発光素子１３１及び第２の発光素子１３２を備える。また、これら第１の発光素子１３１及び第２の発光素子１３２は、並列に接続される。つまり、第１の発光素子１３１及び第２の発光素子１３２からそれぞれ独立に電極が引き出される。なお、図４では、封止のための基板は省略している。
【００３１】
図４に示すように、透明基板１１上に発光素子群１３０が形成される。例えば、発光素子群１３０は、第１の発光素子１３１及び第２の発光素子１３２を備える。第１の発光素子１３１及び第２の発光素子１３２は、絶縁層１３４ｄを介して積層されている。第１の発光素子１３１は、絶縁層１３４ｂにより絶縁された電極（＋）１３４ａと電極（−）１３４ｃに接して挟まれる。また、第２の発光素子１３２は、絶縁層１３４ｆにより絶縁された電極（＋）１３４ｅと電極（−）１３４ｇに接して挟まれる。
【００３２】
第1の発光素子１３１と第２の発光素子１３２間に絶縁層１３４ｄを設けることで、独立した第1の発光素子１３１と第２の発光素子１３２が積み重った構造となる。
【００３３】
第1の発光素子１３１からの第１の光と第２の発光素子１３２からの第２の光を透明基板１１側に出力するために、絶縁層１３４ｄは第１及び第２の光に対して透明性を有する。
【００３４】
第２の発光層１３２ｂにおける透明基板１１と反対側は、第２の発光層１３２ｂで発光した第２の光を反射する構造になっている。例えば、第２の電子輸送層１３２ｃは、第２の発光層１３２ｂからの第２の光を反射するための構造（反射特性）を有する。或いは、電極１３４ｇは、第２の発光層１３２ｂからの第２の光を反射するための構造（反射特性）を有する。
【００３５】
第２の正孔輸送層１３２ａ、電極（＋）１３４ｅ、絶縁層１３４ｄ、電極（−）１３４ｃ、第１の電子輸送層１３１ｃ、第１の正孔輸送層１３１ａは、第１の発光層１３１ｂが発光する第１の光、及び第２の発光層１３２ｂが発光する第２の光に対して透過性を有する。このような構造とすることで、第１の光と第２の光が、透明基板１１へ向かって出力される。言い換えれば、第１の光と第２の光が重ねられた第３の光が、透明基板１１へ向かって出力される。
【００３６】
このように第１の発光素子１３１及び第２の発光素子１３２は、実質同一の波長の第１の光及び第２の光を発光する。透明基板１１の反対側の第２の電子輸送層１３２ｃ又は電極（−）１３４ｇは、第１の発光素子１３１及び第２の発光素子１３２が発光する第１の光及び第２の光を反射させる構造を有する。これにより、第１の光及び第２の光を一方方向に重ね合わせて第３の光として出力することができる。１つの発光素子からの光を出力するケースに比べて、この第３の光を利用することにより、多くの光量を得ることができる。
【００３７】
第１の発光素子１３１と第２の発光素子１３２を独立構造とすることで、第１の発光素子１３１と第２の発光素子１３２を独立に駆動することが可能になる。
【００３８】
図５は、発光素子を駆動するためのＤＲＶ回路の一例を示す図である。
【００３９】
選択信号Ｓ１は、スイッチング用薄膜トランジスタ１４１のゲートに供給され、ＤＲＶ回路１４０に接続されている第１の発光素子１３１及び第２の発光素子１３２の発光強度を変化させる際に“Ｌ”レベルとなる。選択信号Ｓ１が“Ｌ”レベルになった際には、駆動用薄膜トランジスタ１４３のゲートに供給される発光レベル信号Ｓ２の電圧に応じてコンデンサ１４２の電圧が変化する。
【００４０】
選択信号Ｓ１が“Ｈ”になると、コンデンサ１４２の電圧が保持される。発光レベル信号Ｓ２の電圧が変化してもコンデンサ１４２の電圧レベルは変化しない。
【００４１】
ＤＲＶ回路１４０に接続された第１の発光素子１３１及び第２の発光素子１３２には、コンデンサ１４２に保持された電圧に応じた駆動電流Ｉが流れる。
【００４２】
選択信号Ｓ１により、発光素子列１３に含まれる複数の発光素子群１３０から所定の発光素子群１３０を選択し、発光レベル信号Ｓ２により、発光強度を決定し、その発光強度を維持することができる。
【００４３】
次に、１つのＤＲＶ回路１４０に対して第１の発光素子１３１及び第２の発光素子１３２を接続する例について説明する。
【００４４】
図６は、直列に接続された第１及び第２の発光素子を含むプリントヘッド回路ブロックの第１例を示す図である。図６に示すように、直列に接続された第１の発光素子１３１及び第２の発光素子１３２に対して、１つのＤＲＶ回路１４０が接続される。これは、第１の発光素子１３１からの第１の光の波長（波長帯）と第２の発光素子１３２からの第２の光の波長（波長帯）を実質同一にするために、このような回路構成が可能となる。
【００４５】
Ｄ／Ａ変換回路１５０の出力は先に説明したＤＲＶ回路１４０の発光レベル信号Ｓ２に接続される。Ｄ／Ａ変換回路１５０の入力は、プリントヘッドに入力される画像データＤである。
【００４６】
セレクタ１５３の出力はＤＲＶ回路１４０の選択信号Ｓ１に接続される。セレクタ１５３の入力はアドレスカウンタ１５４の出力である。アドレスカウンタ１５４の出力値に応じてＤＲＶ回路１４０が選択される。
【００４７】
アドレスカウンタ１５４は、プリントヘッド１に入力されるクロックＣをカウントする。アドレスカウンタ１５４は、プリントヘッド１に入力される水平同期信号Ｓでカウントがリセットされる。
【００４８】
プリントヘッド１に水平同期信号Ｓを入力し、クロックＣに同期して画像データＤを入力することで、発光素子群１３０を順に画像データに応じた発光強度で発光させることができる。
【００４９】
図7は、並列に接続された第１の発光素子及び第２の発光素子を含み、第１の発光素子及び第２の発光素子を含む１つ発光素子群に１つのＤＲＶ回路１４０を対応付けたヘッド回路ブロックＢ２の一例を示す図である。図７に示すように、並列に接続された第１の発光素子１３１及び第２の発光素子１３２に対して、１つのＤＲＶ回路１４０が接続される。これは、第１の発光素子１３１からの第１の光の波長（波長帯）と第２の発光素子１３２からの第２の光の波長（波長帯）を実質同一にするために、このような回路構成が可能となる。
【００５０】
図７に示すヘッド回路ブロックＢ２の回路構成と図６に示すヘッド回路ブロックＢ１の回路構成の違いは、ＤＲＶ回路１４０に対する第１の発光素子１３１及び第２の発光素子１３２の接続である。ヘッド回路ブロックＢ２の動作は、ヘッド回路ブロックＢ１の動作と基本的に同一であり、詳細は省略する。
【００５１】
図８は、並列に接続された第１の発光素子及び第２の発光素子を含み、第１の発光素子及び第２の発光素子のそれぞれにＤＲＶ回路を対応付けたヘッド回路ブロックの一例を示す図である。
【００５２】
図８に示すヘッド回路ブロックＢ３の回路構成と図７に示すヘッド回路ブロックＢ２の回路構成の違いは、ヘッド回路ブロックＢ３において第１の発光素子１３１の各々にＤＲＶ回路１４１が接続され、第２の発光素子１３２の各々にＤＲＶ回路１４２が接続される点である。また、ＤＲＶ回路１４１から第１の発光素子１３１に所定レベルの電流が供給され、同様に、ＤＲＶ回路１４２から第２の発光素子１３２にも所定レベルの電流が供給される。また、ＤＲＶ回路１４１の１系統に対してＤ／Ａ変換回路１５１が接続され、ＤＲＶ回路１４２の１系統に対してＤ／Ａ変換回路１５２が接続される。ヘッド回路ブロックＢ３の動作は、ヘッド回路ブロックＢ１又はＢ２の動作と基本的に同一であり、詳細は省略する。
【００５３】
プリントヘッド１に水平同期信号ＳとクロックＣに同期して画像データＤを２系統同時に入力することで積み重なった第１の発光素子１３１及び第２の発光素子１３２の発光強度を別々にコントロールすることができる。
【００５４】
以上説明したように、プリントヘッド１では、第１の発光素子１３１及び第２の発光素子１３２を積み重ねた構造とする。積み重ねた第１の発光素子１３１からの第１の光及び第２の発光素子１３２からの第２の光を同一方向に出力し重ね合わせて第３の光を得ることにより、１つの発光素子からの光よりも強い光を取り出すことができる。
【００５５】
第１の発光素子１３１及び第２の発光素子１３２から実質同一波長の光を出力する場合は、1つあたりの発光素子に流す電流が少なくなり、発光素子の寿命を延ばすことができる。
【００５６】
尚、本実施形態では２つの発光素子を積み重なる例について説明したが、２つに限定される訳ではなく、３つ以上の発光素子を積み重ねるようにしてもよい。
【００５７】
また、本実施形態では、透明基板１１側に電極（＋）及び正孔輸送層を配置し、発光層を挟んでその反対側に電子輸送層及び電極（−）を配置する構造としたが、この配置に限定される訳ではなく、透明基板１１側に電極（−）及び電子輸送層を配置し、発光層を挟んでその反対側に正孔輸送層及び電極（＋）を配置するようにしても良い。
【００５８】
図９は、本実施形態のプリントヘッド１を適用した画像形成装置の一例を示す図である。図９では、モノクロの画像形成装置の一例を示すが、本実施形態のプリントヘッド１は、カラーの画像形成装置に適用することもできる。
【００５９】
画像形成装置１００は、画像形成部１０２とスキャナ部１０５を備えている。画像形成部１０２の機構について説明する。画像形成部１０２は、感光体ドラム１１１周辺に、帯電チャージャ１１２、現像器１１３、転写チャージャ１１４、剥離チャージャ１１５、クリーナ１１６を備えている。帯電チャージャ１１２は、感光体ドラム１１１を一様に帯電する。現像器１１３は、帯電された感光体ドラム１１１にスキャナ部１０５からの画像データに基づいて作成された潜像を現像する。転写チャージャ１１４は、感光体ドラム１１１に現像された画像を用紙Ｐに転写する。クリーナ１１６は、感光体ドラム１１１に残った現在剤をクリーニングする。
【００６０】
帯電チャージャ１１２、現像器１１３、転写チャージャ１１４、剥離チャージャ１１５、クリーナ１１６は、感光体ドラム１１１の矢印Ａの回転方向に従い順次配置されている。また画像形成部１０２は、感光体ドラム１１１に対向配置されたプリントヘッド１を備える。
【００６１】
画像形成部１０２は、搬送ベルト１２０、及び排紙搬送ガイド１２１を備える。搬送ベルト１２０、及び排紙搬送ガイド１２１は、剥離チャージャ１１５より用紙搬送方向下流に対して順番にトナー像を転写された用紙Ｐを搬送する。さらに、画像形成部１０２は、定着装置１２２、及び排紙ローラ１２３を備える。定着装置１２２は、排紙搬送ガイド１２１より用紙搬送方向下流側に対して順番に用紙Ｐを定着し、排紙ローラ１２３はその用紙Ｐを排紙する。
【００６２】
次に画像形成のプロセス動作について説明する。
【００６３】
プリントヘッド１（第１の発光素子１３１及び第２の発光素子１３２）からの光（第３の光）により感光体ドラム１１１上に形成された静電潜像は、現像器１１３から供給されるトナー（現像剤）によって現像される。トナー像を形成された感光体ドラム１１１は、転写チャージャ１１４によって、静電潜像を用紙Ｐ上に転写する。
【００６４】
用紙への転写が終了した感光体ドラム１１１は、その表面の残留トナーがクリーナ１１６によって取り除かれて、初期状態に復帰し、次の画像形成の待機状態となる。
【００６５】
以上のプロセス動作を繰り返すことにより、画像形成動作が連続的に行なわれる。
【００６６】
なお、本実施形態のプリントヘッド１は、電子写真プロセスにおけるプリントヘッドに限定されるものではなく、フィルムなどへの露光手段としても用いることができる。
【００６７】
また、本実施形態では、透明基板１１等をプリントヘッド１に適用するケース、及びプリントヘッド１を画像形成装置に適用するケースについて説明したが、本実施形態はこれだけに限定されるものではない。例えば、透明基板１１を各種表示器（表示装置）に適用し透明基板１１により構成される表示器とすることもできる。このような表示器は、発光光量の確保と発光素子の劣化抑制の両立が可能となる。
【００６８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６９】
１  プリントヘッド
１１  透明基板
１２  ロッドレンズアレイ
１３  発光素子列
１４  回路列
１６  コネクタ
１００  画像形成装置
１０２  画像形成部
１０５  スキャナ部
１１１  感光体
１１１  感光体ドラム
１１２  帯電チャージャ
１１３  現像装置
１１３  現像器
１１４  転写チャージャ
１１５  剥離チャージャ
１１６  クリーナ
１２０  搬送ベルト
１２１  排紙搬送ガイド
１２２  定着装置
１２３  排紙ローラ
１３０  発光素子群
１３１  第１の発光素子
１３１  第１の光学素子
１３１ａ  第１の正孔輸送層
１３１ｂ  第１の発光層
１３１ｃ  第１の電子輸送層
１３２  第２の光学素子
１３２  第１の発光素子
１３２  第２の発光素子
１３２ａ  第２の正孔輸送層
１３２ｂ  第２の発光層
１３２ｃ  第２の電子輸送層
１３３ａ  電極（＋）
１３３ｂ  絶縁層
１３３ｃ  電極
１３３ｃ  電極（−）
１３３ｄ  電極
１３４ａ  電極（＋）
１３４ｂ  絶縁層
１３４ｃ  電極（−）
１３４ｃ  電極
１３４ｄ  絶縁層
１３４ｅ  電極（＋）
１３４ｅ  電極
１３４ｆ  絶縁層
１３４ｇ  電極（−）
１３４ｇ  電極
１４０  回路
１４１  回路
１４２  回路
１５０  変換回路
１５１  変換回路
１５２  変換回路
１５３  セレクタ
１５４  アドレスカウンタ
【図１】
2018043431.tif 000003
【図２】
2018043431.tif 000004
【図３】
2018043431.tif 000005
【図４】
2018043431.tif 000006
【図５】
2018043431.tif 000007
【図６】
2018043431.tif 000008
【図７】
2018043431.tif 000009
【図８】
2018043431.tif 000010
【図９】
2018043431.tif 000011